(57)【特許請求の範囲】
【請求項１】
上部接続口と複数の側部接続口と底部接続口を少なくとも備えた基礎継手の該上部接続口に縦パイプを接続し、縦パイプの上端開口を蓋体で閉塞して貯溜タンクを形成すると共に、縦パイプの上端寄りの側面に設けた導水管接続口に家屋の雨樋から雨水を導入する導水管を接続し、基礎継手の一つの側部接続口に取水部材を設け、他の側部接続口に閉塞部材を脱着自在に取付け、底部接続口又は更に他の側部接続口に泥溜め管を接続したことを特徴とする雨水貯溜装置。
【請求項２】
基礎継手として側部接続口の数が一つのものを使用し、この側部接続口に取水部材を設けたことを特徴とする請求項１に記載の雨水貯溜装置。
【請求項３】
上記貯溜タンクを複数形成し、互いに隣接する貯溜タンクの基礎継手の側部接続口に連通管の両端を接続して貯溜タンク同士を連通させると共に、いずれか一つの貯溜タンクの縦パイプの上端寄りの側面に設けた導水管接続口に導水管を接続し、いずれか一つの貯溜タンクの基礎継手における一つの側部接続口に取水部材を設け、連通管を接続した側部接続口および取水部材を設けた側部接続口を除く他の全ての側部接続口に閉塞部材を脱着自在に取付けたことを特徴とする請求項１に記載の雨水貯溜装置。
【請求項４】
複数形成して互いに連通させた上記貯溜タンクのうち、末端に位置する全て又は一部の貯溜タンクは、その基礎継手の側部接続口の数が一つであり、この一つの側部接続口と、隣接する貯溜タンクの基礎継手の側部接続口とに両端を接続した連通管によって、上記の末端に位置する全て又は一部の貯溜タンクと、これに隣接する貯溜タンクを連通させたことを特徴とする請求項３に記載の雨水貯溜装置。
【請求項５】
上記縦パイプの上端寄りの上下分割部に、上向きの接続口と下向きの接続口と横向きの接続口を備えたチーズ継手を介在させて接続し、チーズ継手の横向きの接続口を導水管接続口として、この接続口に導水管を接続したことを特徴とする請求項１ないし請求項４のいずれかに記載の雨水貯溜装置。
【請求項６】
上記閉塞部材が、キャップ本体の奥端内面周縁部にシールパッキンを有すると共に、キャップ本体の内周面に雌ネジを形成した止水キャップであり、この止水キャップの雌ネジと螺合する雄ネジを基礎継手の側部接続口の外周面に形成したことを特徴とする請求項１ないし請求項５のいずれかに記載の雨水貯溜装置。
【請求項７】
上記基礎継手の側部接続口又は泥溜め管に透明管を接続して真上に立上げ、透明管の内部にフロートを収容して水位計を構成したことを特徴とする請求項１ないし請求項６のいずれかに記載の雨水貯溜装置。
【請求項８】
上記貯溜タンクの縦パイプを、固定具で家屋の一部に固定したことを特徴とする請求項１ないし請求項７のいずれかに記載の雨水貯溜装置。
【請求項９】
請求項１ないし請求項８のいずれかに記載の雨水貯溜装置に使用される基礎継手であって、縦パイプを接続する上部接続口と、取水部材、閉塞部材、連通管、泥溜め管又は透明管のいずれかを接続する単数又は複数の側部接続口と、泥溜め管を接続する底部接続口を少なくとも備えたことを特徴とする基礎継手。
【請求項１０】
請求項１ないし請求項８のいずれかに記載の雨水貯溜装置を、家屋外壁体の内側、家屋外壁体の凹部、バルコニーの内側、のいずれか一箇所又は二箇所以上に設置したことを特徴とする雨水貯溜装置付き家屋。
【請求項１１】
請求項１ないし請求項８のいずれかに記載の雨水貯溜装置を、家屋本体又は太陽光遮蔽材によって直射日光による熱の影響を受けない位置に設置したことを特徴とする雨水貯溜装置付き家屋。
【発明の詳細な説明】
【技術分野】
【０００１】
本発明は、家屋外壁体の内側等に簡単に設置でき、貯溜タンクの増設も容易に行うことができる雨水貯溜装置、及び、これに用いる基礎継手、並びに、この雨水貯溜装置付き家屋に関する。
【背景技術】
【０００２】
近年、宅地内に雨水貯溜タンクを設置して雨樋から雨水を導入し、このタンクに貯溜した雨水を、庭木や草花への水撒き、テラスや外壁への打ち水、壁面緑化などに利用することが多くなってきた。
【０００３】
けれども、これまでの雨水貯溜タンクは、その大半が大きい直径を有する円形容器状のものであり、それに見合うだけの広い設置スペースを必要とするため、宅地が狭小化する傾向にある昨今では、家屋のレイアウトとの関係で、雨水貯溜タンクの設置が困難になることがあった。しかも、これまでの雨水貯溜タンクは補助タンク等を連結できるように設計されていないため、貯水量を増やしたい場合には、雨水貯溜タンクをもう一基追加して設置し、他の雨樋から雨水を導入しなければならないという問題もあった。
【０００４】
これに対し、住宅の屋根の軒先と基礎地盤との間に、縦型の雨水貯溜タンクを複数本並列に配置し、これらのタンクを連通管で連通させると共に、これらのタンクのうちの一つのタンクの上端開口部に、屋根の樋からの雨水を案内する雨水案内樋を設け、他のタンクへは上記の連通管を介して雨水を案内するように構成し、必要以上に貯溜された雨水を地中浸透マスや浸透パイプを介して地中に浸透させるようにした複数連式雨水貯溜タンクが提案されている（特許文献１）。
【０００５】
この複数連式雨水貯溜タンクは、複数の縦型の雨水貯溜タンクを家屋外壁等に沿わせて設置できるので、あまり大きい設置スペースを必要とせず、しかも、連通させる雨水貯溜タンクの数によって貯水量を増減できるという利点を備えたものである。
【特許文献１】特開平１１−２４１３７４号公報
【発明の開示】
【発明が解決しようとする課題】
【０００６】
しかしながら、上記特許文献１の複数連式雨水貯溜タンクは、雨水貯溜タンクの底壁に接続口を設け、２本の縦管と２つの９０度エルボと１本の横管をＵ字状に接続して連通管を形成しながら、このＵ字状の連通管を上記接続口に下方から接続して雨水貯溜タンク同士を連通させるため、これらの接続作業が面倒で施工性が良くないという問題があった。
【０００７】
また、この複数連式雨水貯溜タンクは、一つの雨水貯溜タンクの上端開口部に雨水案内樋を設けて雨水を上端開口部から導入するため、雨水貯溜タンクの内部にオーバーフロー管を設けて雨水がタンクの上端開口部から溢れ出さないようにする必要があり、オーバーフロー管を設ける分だけ部品点数や施工の手間が増えるという問題もあった。
【０００８】
また、この複数連式雨水貯溜タンクは、雨水貯溜タンクの底壁から雨水取出パイプを引き出して、この雨水取出パイプに給水調節コックや止水コック等を設けており、雨水貯溜タンクの下部側面に蛇口を簡単に取付けることができないという問題もあった。
【０００９】
本発明は上記事情の下になされたもので、その解決しようとする課題は、家屋外壁体の内側等の小さなスペースに簡単に設置でき、オーバーフロー管が不要で、貯溜タンクの増設や蛇口の取付けを容易に行え、濁りのない雨水を取り出せる、施工性に優れた雨水貯溜装置を提供すること、及び、この雨水貯溜装置に好適に用いられる基礎継手を提供すること、並びに、この雨水貯溜装置を設置して雨水を有効利用できるようにした雨水貯溜装置付き家屋を提供することにある。
【課題を解決するための手段】
【００１０】
上記課題を解決するため、本発明に係る雨水貯溜装置は、上部接続口と複数の側部接続口と底部接続口を少なくとも備えた基礎継手の該上部接続口に縦パイプを接続し、縦パイプの上端開口を蓋体で閉塞して貯溜タンクを形成すると共に、縦パイプの上端寄りの側面に設けた導水管接続口に家屋の雨樋から雨水を導入する導水管を接続し、基礎継手の一つの側部接続口に取水部材を設け、他の側部接続口に閉塞部材を脱着自在に取付け、底部接続口又は更に他の側部接続口に泥溜め管を接続したことを特徴とするものである。
【００１１】
上記の雨水貯溜装置においては、基礎継手として側部接続口の数が一つのものを使用し、この側部接続口に取水部材を設けてもよい。
【００１２】
また、本発明の雨水貯溜装置においては、上記貯溜タンクを複数形成し、互いに隣接する貯溜タンクの基礎継手の側部接続口に連通管の両端を接続して貯溜タンク同士を連通させると共に、いずれか一つの貯溜タンクの縦パイプの上端寄りの側面に設けた導水管接続口に導水管を接続し、いずれか一つの貯溜タンクの基礎継手における一つの側部接続口に取水部材を設け、連通管を接続した側部接続口および取水部材を設けた側部接続口を除く他の全ての側部接続口に閉塞部材を脱着自在に取付けることが好ましい。その場合、互いに連通させた上記貯溜タンクのうち、末端に位置する全て又は一部の貯溜タンクの基礎継手として、側部接続口の数が一つである基礎継手を使用し、この一つの側部接続口と、隣接する貯溜タンクの基礎継手の側部接続口とに両端を接続した連通管によって、上記の末端に位置する全て又は一部の貯溜タンクと、これに隣接する貯溜タンクを連通させてもよい。
【００１３】
更に、本発明の雨水貯溜装置においては、上記縦パイプの上端寄りの上下分割部に、上向きの接続口と下向きの接続口と横向きの接続口を備えたチーズ継手を介在させて接続し、チーズ継手の横向きの接続口を導水管接続口として、この接続口に導水管を接続することが好ましい。そして、上記閉塞部材が、キャップ本体の奥端内面周縁部にシールパッキンを有すると共に、キャップ本体の内周面に雌ネジを形成した止水キャップであり、この止水キャップの雌ネジと螺合する雄ネジが基礎継手の側部接続口の外周面に形成されていることが好ましい。
【００１４】
また、本発明の雨水貯溜装置においては、上記基礎継手の側部接続口又は泥溜め管に透明管を接続して真上に立上げ、透明管の内部にフロートを収容して水位計を構成することが好ましく、更に、上記貯溜タンクの縦パイプを固定具で家屋の一部に固定することも好ましい。
【００１５】
本発明の基礎継手は、上記の雨水貯溜装置に使用される基礎継手であって、縦パイプを接続する上部接続口と、取水部材、閉塞部材、連通管、泥溜め管又は透明管のいずれかを接続する単数又は複数の側部接続口と、泥溜め管を接続する底部接続口を少なくとも備えたことを特徴とするものである。
【００１６】
そして、本発明の雨水貯溜装置付き家屋は、上記の雨水貯溜装置を、家屋外壁体の内側、家屋外壁体の凹部、バルコニーの内側、のいずれか一箇所又は二箇所以上に設置したことを特徴とし、或いは、上記の雨水貯溜装置を、家屋本体又は太陽光遮蔽材によって直射日光による熱の影響を受けない位置に設置したことを特徴とするものである。
【発明の効果】
【００１７】
本発明の雨水貯溜装置のように、上部接続口と複数の側部接続口と底部接続口を少なくとも備えた基礎継手の該上部接続口に縦パイプを接続し、縦パイプの上端開口を蓋体で閉塞して貯溜タンクを形成すると、基礎継手の一つの側部接続口に蛇口などの取水部材を設けることができ、また、貯水量を増やすために前記のように貯溜タンクを複数形成して貯溜タンク同士を連通させる場合には、基礎継手の他の側部接続口の閉塞部材を除去して、この側部接続口と、隣接する貯溜タンクの基礎継手の側部接続口とに連通管の両端を接続するだけで、極く簡単に貯溜タンク同士を連通させて増設することができる。しかも、貯溜タンクは基礎継手の上部接続口に縦パイプを接続した細長いタンクであるから、家屋外壁の内側や凹部などの小さいスペースに容易に設置することができる。また、本発明の雨水貯溜装置のように、底部接続口又は更に他の側部接続口に泥溜め管が接続されていると、貯溜タンク内の雨水に含まれる土埃などの固形物が沈降、分離されて泥溜め管に溜められるため、取水部材から濁りのない雨水を取り出すことができる。
【００１８】
また、本発明の雨水貯溜装置のように、縦パイプの上端寄りの側面に設けた導水管接続口に家屋の雨樋から雨水を導入する導水管が接続されていると、導水管の雨樋との接続端部の高さを、縦パイプの導水管接続口より高い位置、好ましくは縦パイプの導水管接続口と上端開口との間の高さに設定することによって、オーバーフロー管を設けなくても、貯溜タンク内の最高水位を縦パイプの導水管接続口と上端開口との間に維持できるようになる。従って、オーバーフロー管を貯溜タンクの内部に設ける必要がなくなり、オーバーフロー管を省略できる分だけ部品点数が減少して施工性が向上する。
【００１９】
本発明の雨水貯溜装置において、貯溜タンクを増設する必要がない場合は、前記のように、側部接続口の数が一つである基礎継手を使用し、この側部接続口に取水部材を設けるようにすればよい。
【００２０】
そして、貯溜タンクを増設して貯水量を増やす場合は、前記のように貯溜タンクを複数形成し、互いに隣接する貯溜タンクの基礎継手の側部接続口に連通管の両端を接続して貯溜タンク同士を連通させると共に、いずれか一つの貯溜タンクの縦パイプの上端寄りの側面に設けた導水管接続口に導水管を接続し、いずれか一つの貯溜タンクの基礎継手における一つの側部接続口に取水部材を設け、連通管を接続した側部接続口及び取水部材を設けた側部接続口を除く他の全ての側部接続口に閉塞部材を脱着自在に取付けることによって、貯溜タンクを幾つでも簡単に増設することができる。その場合、前述したように、末端に位置する全て又は一部の貯溜タンクの基礎継手として、側部接続口の数が一つである基礎継手を使用してもよい。
【００２１】
また、本発明の雨水貯溜装置において、縦パイプの上端寄りの上下分割部に、上向きの接続口と下向きの接続口と横向きの接続口を備えたチーズ継手を介在させて接続し、チーズ継手の横向きの接続口を導水管接続口として、この接続口に導水管を接続したものは、縦パイプの上端寄りの側面に導水管接続口を特別に設ける必要がなくなるため、施工性が一層向上するようになる。そして、閉塞部材が、キャップ本体の奥端内面周縁部にシールパッキンを有すると共に、キャップ本体の内周面に雌ネジを形成した止水キャップであり、この止水キャップの雌ネジと螺合する雄ネジが基礎継手の側部接続口の外周面に形成されていると、止水キャップの雌ネジを、連通管が接続された側部接続口及び取水部材が設けられた側部接続口を除く他の全ての側部接続口の雄ネジに螺合して締めつけることにより、該側部接続口を水密的に簡単かつ確実に閉塞することができる。
【００２２】
更に、本発明の雨水貯溜装置において、基礎継手の側部接続口又は泥溜め管に透明管を接続して真上に立上げ、透明管の内部にフロートを収容して水位計を構成したものは、水位計のフロートの高さで貯溜タンク内の雨水の水位（水量）を知ることができ、また、貯溜タンクの縦パイプを固定具で家屋の一部に固定したものは、強風や地震で貯溜タンクが簡単に倒壊する心配を解消することができる。
【００２３】
また、本発明の基礎継手は、その上部接続口に縦パイプを接続し、側部接続口に取水部材、閉塞部材、連通管、泥溜め管又は透明管を接続し、底部接続口に泥溜め管を接続することによって、本発明の雨水貯溜装置を簡単かつ効率良く施工することができる。
【００２４】
そして、本発明の雨水貯溜装置付き家屋は、家屋外壁体の内側、家屋外壁体の凹部、バルコニーの内側、のいずれか一箇所又は二箇所以上に設置された本発明の雨水貯溜装置から雨水を取出し、庭木や草花への水撒き、テラスや外壁への打ち水、壁面緑化などに有効利用することができる。特に、雨水貯溜装置を、家屋本体又は太陽光遮蔽材によって直射日光による熱の影響を受けない位置に設置した家屋は、雨水貯溜装置に貯溜された雨水の直射日光による温度上昇がなく、外気温とほぼ同じ温度に保たれるため、水撒きや打ち水等によって大きい冷却効果を得ることができる。
【発明を実施するための最良の形態】
【００２５】
以下、図面を参照して本発明の具体的な実施形態を詳述する。
【００２６】
図１は本発明の一実施形態に係る雨水貯溜装置の正面図、図２は同装置の平面図、図３は図２のＸ−Ｘ線断面図、図４は同装置に用いる基礎継手の平面図、図５は同基礎継手の正面図、図６は図４のＹ−Ｙ線断面図、図７の（ａ）（ｂ）は同装置に用いる偏芯ブッシングの正面図及び断面図、図８は同装置に用いる止水キャップの断面図、図９は同装置に用いる雨水分取器の断面図、図１０の（ａ）（ｂ）（ｃ）は貯溜タンクの異なる連結態様を例示した平面図である。
【００２７】
この雨水貯溜装置は、第一の貯溜タンクＴ１と第二の貯溜タンクＴ２を連通させて、家屋外壁体１０１のコーナー部の内側に設置したものを例示している。
【００２８】
これらの貯溜タンクＴ１，Ｔ２は、図４〜図６に示す基礎継手１、即ち、上部接続口１ａと、周側壁から左右両側および前側に突き出す３つの側部接続口１ｂ，１ｃ，１ｄと、底壁から下方に突き出す底部接続口１ｅとを備えた合成樹脂製の基礎継手１を使用し、この基礎継手１の上部接続口１ａに合成樹脂製の縦パイプ２を接続すると共に、縦パイプ２の上端開口を蓋体３で閉塞して形成したものである。これらの貯溜タンクＴ１，Ｔ２は、強風や地震で簡単に倒れることがないように、その縦パイプ２，２が固定バンド４（固定具）で家屋外壁体１０１に固定されている。
【００２９】
縦パイプ２としては、基礎継手１の上部接続口１ａに溶剤型接着剤で水密的に接続できる硬質塩化ビニル樹脂製のパイプが好ましく使用され、同様の理由から、基礎継手１も硬質塩化ビニル樹脂製の一体成形品が好ましく使用される。硬質塩化ビニル樹脂製のパイプとしては既存のＶＰパイプやＶＵパイプが使用される。縦パイプ２の直径や高さは特に限定されないが、直径が７５〜３５０ｍｍ程度（より好ましくは１５０〜３００ｍｍ程度）、高さが１〜４ｍ程度の縦パイプを使用すると、充分な貯水量を確保できる利点がある。また、透明な合成樹脂製の縦パイプ２を用いてもよく、その場合は、貯溜タンクＴ１，Ｔ１内の水位の高さを目で見て貯水量を確認できる利点がある。
【００３０】
また、蓋体３は、硬質合成樹脂製もしくはレジンコンクリート製の蓋体が使用される。特に、この蓋体３として、裏面の環状凸部の外周に止水パッキンを取付け、上面に取手を付けた、水密的に着脱自在な蓋体を用いると、必要なときにタンク内を点検・清掃することができるので好ましい。この蓋体３には空気抜き孔を形成し、貯溜タンクＴ１，Ｔ２内の水位が上昇する際に、タンク内の空気が自然に抜けて内部空気圧が上昇しないようにすることが好ましい。
【００３１】
図１，図３に示すように、第一の貯溜タンクＴ１は、その縦パイプ２の上端寄りの部分が上下に分割されており、この上下分割部に、上向きの接続口６ａと下向きの接続口６ｂと横向きの接続口６ｃを備えたチーズ継手６が介在されて、その上下の接続口６ａ，６ｂに、分割された縦パイプが接続されている。そして、家屋外壁体１０１の外側に配設された竪樋５の途中の雨水分取器７から雨水を導入する導水管８が、家屋外壁体１０１を貫通して、貯溜タンクＴ１の導水管接続口となるチーズ継手６の横向きの接続口６ｃに接続されている。なお、チーズ継手６は上向きの接続口を形成せず、その上端を縦パイプ２と同じ形状とし、下向きの接続口６ｂと横向きの接続口６ｃのみを備えたもの（不図示）としてもよい。この場合は、縦パイプ２と同じ形状の上記上端を、直接、蓋体３で閉塞する。
【００３２】
導水管８としては、適度に曲げながら容易に配設できる可撓性のホースが好ましく使用されるが、このようなホースの直径（外径）はチーズ継手６の横向きの接続口６ｃの内径よりも小さいので、図７に示すような偏芯ブッシング９を接続口６ｃに嵌着し、この偏芯ブッシング９の小径内筒部９ａとホースの端部を連結することが好ましい。なお、チーズ継手６の横向きの接続口６ｃを、可撓性のホースと略同一の直径に形成すると、上記偏芯ブッシング９を省略できることは言うまでもない。
【００３３】
雨水分取器７は、図９に示すように、上側の竪樋５が差込み接続される上部接続口７ａと、下側の竪樋５が差込み接続される下部接続口７ｂと、これらの接続口７ａ，７ｂに上下両端が連なる膨出筒状部７ｃと、この膨出筒状部７ｃの内側に設けられて膨出筒状部７ｃの内面に沿って流下する雨水を受ける環状溝部７ｄと、この膨出筒状部７ｃの外側に設けられて環状溝部７ｄと連通する取水口７ｅとを具備したものであって、この取水口７ｅには、導水管８として前記の可撓性ホースが接続されるようになっている。
【００３４】
このような雨水分取器７を竪樋５の途中に設けて導水管８を接続すると、通常の雨量の場合には、竪樋５を流下してきた雨水の大半が雨水分取器７の膨出筒状部７ｃの内面を伝って広がりながら環状溝部７ｄに受水されるため、雨水は取水口７ｅから導水管８を流れて貯溜タンクＴ１に効率良く導入される。けれども、豪雨のときには、竪樋５を勢い良く流下してきた雨水が雨水分取器７の膨出筒状部７ｃの内面に沿って広がることなく、大部分の雨水が直下に流落して環状溝部７ｄに殆ど受水されないため、雨水が取水口７ｅから導水管８を流れて貯溜タンクＴ１に導入され難くなり、貯溜タンクＴ１への雨水の過剰導入が防止される。
【００３５】
上記のように、導水管８の一端を竪樋５の雨水分取器７に接続し、導水管８の他端を貯溜タンクＴ１の縦パイプ２の側面に設けられた導水管接続口（チーズ継手６の横向きの接続口６ｃ）に接続して、竪樋５から貯溜タンクＴ１に雨水を導入するように構成すると、互いに連通する貯溜タンクＴ１，Ｔ２に貯溜される雨水の最高水位は、雨水分取器７に接続された導水管８の一端の高さに応じて定まることになる。そこで、この雨水貯溜装置では、導水管８の一端の高さがチーズ継手６の横向きの接続口６ｃと縦パイプ２の上端との中間の高さになるように、雨水分取器７の高さを調整して竪樋５に取付け、最高水位をチーズ継手６の横向きの接続口６ｃと縦パイプ２の上端との中間に設定している。従って、いずれか一方の貯溜タンクＴ１又はＴ２の内部にオーバーフロー管を設けなくても、双方の貯溜タンクＴ１，Ｔ２の縦パイプ２，２の上端から雨水が溢れ出す心配はないので、オーバーフロー管を省略できる分だけ部品点数が減少し、施工性が向上する。
【００３６】
図１〜図３に示すように、第一の貯溜タンクＴ１と第二の貯溜タンクＴ２は、これらの基礎継手１，１の相対向する側部接続口１ｃ，１ｂに連通管１０の両端を接続することによって連通されている。このような手段で双方の貯溜タンクＴ１，Ｔ２を連通させると、従来の複数連式雨水貯溜タンクのように、雨水貯溜タンクの底壁に接続口を設け、２本の縦管と２つの９０度エルボと１本の横管をＵ字状に接続して連通管を形成しながら、このＵ字状の連通管をタンク底壁の接続口に下方から接続して雨水貯溜タンク同士を連通させる場合に比べて、作業性が遥かに向上する利点がある。
【００３７】
図１，図２に示すように、第一の貯溜タンクＴ１の基礎継手１から前方へ突き出す側部接続口１ｄには、取水部材として市販の蛇口１１が蛇口の取付部材を介して取付けられており、この蛇口１１のハンドルを回すと、貯溜タンクＴ１，Ｔ２内の雨水を自由に取り出して利用できるようになっている。従来の複数連式雨水貯溜タンクは、タンクの下部側面に蛇口を簡単に取付けられる構造でなく、雨水取出パイプを配設する必要があるため、施工が面倒であったが、この雨水貯溜装置は、上記のように蛇口１１を基礎継手１の側部接続口に簡単に取付けることができ、雨水取出パイプを配設する必要がないので、施工が遥かに簡単である。
【００３８】
また、第二の貯溜タンクＴ２の基礎継手１から右側へ突き出す側部接続口１ｃには、前記の偏芯ブッシングを介して細い透明管１２ａが接続されており、この透明管１２ａは家屋外壁体１０１の内側面沿いに真上に立上げられて、固定具１２ｂで家屋外壁体１０１に固定されている。そして、この透明管１２ａにフロート（不図示）が収容されて、水位計１２が構成されている。この水位計１２は、連通管の原理によって貯溜タンクＴ１、貯溜タンクＴ２、透明管１２ａのそれぞれの水位が同じなることを利用し、透明管１２ａの水面に浮くフロートを見ることで貯溜タンクＴ１，Ｔ２内の水位を確認できるものである。
【００３９】
尚、蛇口１１や水位計１２の透明管１２ａは、使い勝手の良さや配管のし易さなどを考慮し、上記と異なる側部接続口を選択して接続してもよいことは言うまでもない。また、水位計１２は、貯溜タンクＴ１，Ｔ２の縦パイプ２，２として透明な合成樹脂製のパイプを使用する場合は、不要である。
【００４０】
上記の連通管１０、蛇口１１、透明管１２が接続されていない側部接続口、即ち、第一の貯溜タンクＴ１の基礎継手１から左側へ突き出す側部接続口や、第二の貯溜タンクＴ２の基礎継手１から前方へ突き出す側部接続口には、閉塞部材として図８に示すような止水キャップ１３が脱着可能に取付けられて閉塞されており、この止水キャップ１３を外せば、更に連通管１０を接続して貯溜タンクを増設したり、蛇口１１を増設することができるようになっている。
【００４１】
上記の止水キャップ１３は、図８に示すように、合成樹脂製のキャップ本体１３ａの奥端内面周縁部に形成された環状溝１３ｂにリング状のシールパッキン１３ｃを取付け、キャップ本体１３ａの内周面に雌ネジ１３ｄを形成したものであって、図４〜図６に示すように、基礎継手１の側部接続口１ｂ，１ｃ，１ｄの外周面には、上記の雌ネジ１３ｄと螺合する雄ネジ１ｆが形成されている。従って、この止水キャップ１３をいずれの側部接続口に被せて雌ネジ１３ｄと雄ネジ１ｆを螺合させても、側部接続口の先端がシールパッキン１３ｂに圧接して、止水できるようになっている。尚、本実施形態では、側部接続口１ｂ，１ｃ，１ｄに雄ネジ１ｆを形成し、底部接続口１ｅには雄ネジを形成していない基礎継手１について説明しているが、底部接続口１ｅにも雄ネジを形成してもよいことは言うまでもない。更に、本実施態様では、基礎継手の各接続口の外周面に形成した雄ネジと、止水キャップの内周面に形成した雌ネジとの組み合わせで螺合させる形態を示したが、基礎継手の各接続口の先端の内周面に、連結管の外径と干渉しないネジ内径の雌ネジを形成し、止水キャップの外周面には上記雌ネジと螺合する雄ネジを形成する形態を採用することもできる（不図示）。
【００４２】
尚、連通管１０、蛇口１１、透明管１２が接続されていない側部接続口を上記の止水キャップ１３で脱着自在に閉塞する代わりに、連通管１０より少し長い管を側部接続口に接着剤で水密的に接続し、この管の先端に単なる閉塞キャップを水密的に接着して閉塞してもよい。このような手段で閉塞しても、貯溜タンクの増設が必要になった場合には、管の先端の閉塞キャップを切除し、この管を連通管１０として利用して新しい貯溜タンクを簡単に増設することができる。
【００４３】
図４〜図６に示すように、基礎継手１の底部には、下方へ突き出す底部接続口１ｅが形成されており、図１，図３に示すように、貯溜タンクＴ１，Ｔ２の基礎継手１，１の底部接続口１ｅ，１ｅには共通の泥溜め管１４が接続されている。そして、この泥溜め管１４の一端にはドレンコック１４ａが取付けられており、他端は閉塞部材１４ｂで閉塞されている。従って、ドレンコック１４ａを開くと、双方の貯溜タンクＴ１，Ｔ２の雨水から泥溜め管１４に沈降した泥（固形物）が排出されるようになっている。閉塞部材１４ｂとしては、前記の止水キャップ１３を用いてもよいし、単なる閉塞キャップを用いて泥溜め管他端に接着してもよい。尚、図４に示したように、本実施態様では、底部接続口１ｅの中心点と上部接続口１ａの中心点が同一、つまり底部接続口１ｅと上部接続口１ａの配置の関係は同心円状となっている。しなかしながら、上部接続口１ａの中心点に対して底部接続口１ｅの中心点をずらせて形成しておくことも好ましい。図４ように、３つの側部接続口１ｂ，１ｃ，１ｄを持つ基礎継手１を例にすると、側部接続口のない方向（図４では上方）に底部接続口１ｅの中心点をずらせておく（不図示）。このような基礎継手を用いた貯溜タンクでは、底部接続口１ｅに泥溜め管１４を接続しても、側部接続口１ｂ，１ｃ，１ｄから、泥溜め管１４が遠い位置にあることになり、蛇口１１や連結管１０を接続する作業や、蛇口１１から雨水を取り出す作業を行うときに邪魔にならない。
【００４４】
上記の連通管１０や泥溜め管１４としては、溶剤型接着剤で水密的に接続できる硬質塩化ビニル樹脂製の既存のＶＰパイプやＶＵパイプが好適であり、特に、直径が１０〜１００ｍｍ程度のパイプが好ましく使用される。また、透明な合成樹脂製のパイプも使用され、その場合は、泥（固形物）の溜まり具合などが一目で分かる利点がある。
【００４５】
尚、この泥溜め管１４は、基礎継手１の余っている側部接続口に接続してもよく、また、泥溜め管１４の一端にドレンコック１４ａを設けないで泥溜め管１４の一端を下方の浸透桝まで延長し、泥の混じった雨水を地中に浸透させるように構成してもよい。また、前記水位計１２の透明管１２ａは、この泥溜め管１４に接続してもよい。
【００４６】
以上のような雨水貯溜装置は基台１５に設置固定され、既述したように、双方の貯溜タンクＴ１，Ｔ２の縦パイプ２，２が倒れないように固定バンド４，４で家屋外壁体１０１に固定される。そして、水位計１２の透明管１２ａも固定具１２ｂで家屋外壁体１０１に固定される。
【００４７】
上記実施形態の雨水貯溜装置は、第一の貯溜タンクＴ１と第二の貯溜タンクＴ２を連通して貯水量を増大させたものであるが、貯水量が少なくてもよい場合は、第二の貯溜タンクＴ２を省略してもよい。その場合は、第一の貯溜タンクＴ１の基礎継手１として側部接続口の数が一つのものを使用し、この側部接続口に取水部材として蛇口１１を取付ければよい。また、水位計１２を取付けたい場合には、側部接続口の数が二つの基礎継手１を使用し、その一つの側部接続口に蛇口１１を取付け、他の側部接続口に水位計１２の透明管１２ａを接続すればよい。更に、将来、貯溜タンクを増設したり、水位計１２を取付けたりする可能性がある場合は、側部接続口の数が二つ又は三つ以上の基礎継手を使用し、その一つの側部接続口に蛇口１１を取付け、他の側部接続口は前記の脱着自在な止水キャップ１３で閉塞するのがよい。このようにすれば、必要なときに止水キャップ１３を取り外して、側部接続口に水位計の透明管１２ａを接続したり、連通管１０を接続して貯溜タンクを増設することができる。
【００４８】
本発明の雨水貯溜装置は、新しい貯溜タンクを次々に立設し、互いに隣接する貯溜タンクの基礎継手の側部接続口に連通管１０の両端を接続して貯溜タンク同士を連通させることにより、貯溜タンクを幾つでも増設することができる。その場合、いずれか一つの貯溜タンクの縦パイプに導水管接続口を設けて導水管８を接続すれば、全ての貯溜タンクに雨水を貯溜することができる。例えば、図１０に示すように、三つの貯溜タンクＴ１，Ｔ２，Ｔ３を連通させる場合、図１０の（ａ）（ｃ）に示すように、左側端の貯溜タンクＴ１に導水管接続口６ｃ（チーズ継手６の横向きの接続口６ｃ）を設けて導水管８を接続してもよいし、図１０の（ｂ）に示すように、中央の貯溜タンクＴ２に導水管接続口６ｃを設けて導水管８を接続してもよいし、図示はしていないが右側端の貯溜タンクＴ３に導水管接続口を設けて導水管を接続してもよい。
【００４９】
また、蛇口１１も、いずれか一つの貯溜タンクの基礎継手の側部接続口を選択して取付ければよく、例えば、図１０の（ａ）（ｃ）に示すように、左側端の貯溜タンクＴ１の基礎継手１の側部接続口１ｄに蛇口１１を取付けてもよいし、図１０の（ｂ）に示すように、中央の貯溜タンクＴ２の基礎継手１の側部接続口１ｄに蛇口１１を取付けてもよいし、図示はしていないが右側端の貯溜タンクＴ３の基礎継手の側部接続口に蛇口を取付けてもよい。要するに、連通管１０が接続されている側部接続口以外のどの側部接続口に蛇口を取付けてもよいのであり、場合によっては、二以上の側部接続口を選択して二つ以上の蛇口を取付けることもできるのである。同様に、水位計１２も、いずれか一つの貯溜タンクの基礎継手の側部接続口を選択して透明管１２ａを取付ければよいのである。
【００５０】
そして、連通管１０、蛇口１１、水位計１２の透明管１２ａを接続した側部接続口を除く他の全ての側部接続口は、前記の脱着自在な止水キャップ１３で閉塞すればよく、このように脱着自在な止水キャップ１３で閉塞しておくと、将来、貯溜タンクの増設が必要になったときに、止水キャップ１３を取り外して連通管１０を接続することにより、簡単に貯溜タンクを増設できるのである。
【００５１】
貯溜タンクの基礎継手１としては、側部接続口の数が複数のもの、特に好ましくは図４に示すように側部接続口の数が三つのものが使用されるが、末端に位置する全て又は一部の貯溜タンクの基礎継手は、側部接続口の数が一つのものを使用してもよい。例えば、図１０に示すように三つの貯溜タンクＴ１，Ｔ２，Ｔ３を連通させる場合、図１０の（ｂ）に示すように、末端に位置する全ての貯溜タンクＴ１，Ｔ３について、側部接続口の数が一つの基礎継手１，１を使用してもよいし、図１０の（ａ）に示すように、末端に位置する一部の貯溜タンクＴ３についてのみ、側部接続口の数が一つの基礎継手１を使用してもよい。そして、図１０の（ｃ）に示すように、末端に位置する貯溜タンクＴ１，Ｔ３について、側部接続口の数が複数の基礎継手１を使用しても勿論よい。
【００５２】
中間に位置する貯溜タンクの基礎継手１は、少なくとも二つの側部接続口を有するものを使用する必要があるが、五つ以上の側部接続口を有する基礎継手は実際には不要であり、四つの側部接続口を有する基礎継手は、家屋外壁体１０１に沿って大きい隙間が生じないように設置することが難しいという不都合があるので、二つ又は三つの側部接続口を有する基礎継手を使用することが好ましい。特に、三つの側部接続口を有する基礎継手１は、貯溜タンクを直線的に連結したり、直角に連結したり、Ｔ字状に連結することができ、蛇口や水位計を接続することもできるので、最適である。
【００５３】
このような雨水貯溜装置に用いる本発明の基礎継手は、以上の説明から理解できるように、縦パイプ２を接続する上部接続口１ａと、取水部材（蛇口）１１、閉塞部材（止水キャップ）１３、連通管１０、泥溜め管１４又は透明管１２ａのいずれかを接続する単数又は複数の側部接続口と、泥溜め管１４を接続する底部から下方へ突き出した底部接続口１ｅを少なくとも備えた合成樹脂製の基礎継手であって、好ましくは、図４〜図６に示す実施形態の基礎継手１のように、周側壁から左右に突き出す側部接続口１ｂ，１ｃと前方に突き出す側部接続口１ｄの三つの側部接続口を備え、その外周面に止水キャップ１３の雌ネジ１３ｄと螺合する雄ネジ１ｆを形成したものである。
【００５４】
この基礎継手１の材料樹脂としては、前述したように溶剤型接着剤で縦パイプ２や連通管１０と水密的に接着できる硬質塩化ビニル樹脂が好ましく使用され、また、継手内部が透視できる透明な合成樹脂、例えば透明な硬質塩化ビニル樹脂、アクリル樹脂、ポリエステル樹脂、ポリカーボネート樹脂なども好ましく使用される。
【００５５】
基礎継手１の上部接続口１ａの口径は、縦パイプ２の直径と実質的に同一にする必要があり、既述したように縦パイプ２は７５〜３５０ｍｍ程度（より好ましくは１５０〜３００ｍｍ程度）のものが好ましく使用されるので、それに対応して上部接続口１ａの口径も１５０〜３００ｍｍ程度にすることが好ましい。一方、側部接続口１ｂ，１ｃ，１ｄには、連通管１０、蛇口１１、水位計１２の透明管１２ａなど、直径の異なるものが接続されるので、全ての側部接続口の口径を、直径が最も大きい連通管１０の直径と実質的に同一にし、直径の小さい蛇口１１の取付管や水位計の透明管１２ａは、前述の偏芯ブッシュ９を用いて側部接続口に接続することが好ましい。連通管１０としては５０〜１００ｍｍ程度のパイプが多用されるので、こにれ対応して側部接続口１ｂ，１ｃ，１ｄの口径は５０〜１００ｍｍ程度にすることが好ましい。また、底部接続口１ｅの口径も、側部接続口と同様に５０〜１００ｍｍ程度にすることが好ましい。
基礎継手１の上部接続口１ａの口径は、縦パイプ２の直径と実質的に同一にする必要があり、既述したように縦パイプ２は１５０〜３００ｍｍ程度のものが好ましく使用されるので、それに対応して上部接続口１ａの口径も１５０〜３００ｍｍ程度にすることが好ましい。一方、側部接続口１ｂ，１ｃ，１ｄには、連通管１０、蛇口１１、水位計１２の透明管１２ａなど、直径の異なるものが接続されるので、全ての側部接続口の口径を、直径が最も大きい連通管１０の直径と実質的に同一にし、直径の小さい蛇口１１の取付管や水位計の透明管１２ａは、前述の偏心ブッシュ９を用いて側部接続口に接続することが好ましい。連通管１０としては５０〜１００ｍｍ程度のパイプが多用されるので、こにれ対応して側部接続口１ｂ，１ｃ，１ｄの口径は５０〜１００ｍｍ程度にすることが好ましい。また、底部接続口１ｅの口径も、側部接続口と同様に５０〜１００ｍｍ程度にすることが好ましい。
【００５６】
図１１は本発明の雨水貯溜装置付き家屋の一実施形態を示すもので、（ａ）は屋内を省略した一階の見取り図、（ｂ）は屋内を省略した二階の見取り図である。
【００５７】
この雨水貯溜装置付き家屋は、複数の貯溜タンクＴを連通させた前記の雨水貯溜装置を、家屋外壁体１０１の内側、家屋外壁体１０１の凹部１０１ａ、バルコニー１０２の内側、のいずれか一箇所又は二箇所以上に設置し、貯溜タンクＴに貯溜された雨水を、庭木や草花などの植栽１０３への水撒き、テラス１０４や外壁体１０１への打ち水、壁面緑化物１０５や屋水緑化物１０６への給水などに利用できるようにしたものである。
【００５８】
直射日光による水温上昇を防止し、打ち水などによる充分な冷却効果を得るためには、雨水貯溜装置の貯溜タンクＴを、家屋本体又は太陽光遮蔽材によって直射日光による熱の影響を受けない箇所に設置した雨水貯溜装置付き家屋とすることが重要である。直射日光による熱の影響を受けない箇所は、家屋本体や外壁体１０１、バルコニー側壁などの太陽光遮蔽材によって、貯溜タンクＴの上方が覆われると共に、貯溜タンクＴの四方、或いは、東方と南方と西方の三方が囲まれて直射日光が全く又は殆ど当たらない箇所であり、その代表例は、上述した家屋外壁体１０１の内側、家屋外壁体１０１の凹部１０１ａ、バルコニー１０２の側壁内側などである。
【図面の簡単な説明】
【００５９】
【図１】本発明の一実施形態に係る雨水貯溜装置の正面図で有る。
【図２】基台と泥溜め管を省略した同装置の平面図である。
【図３】図２のＸ−Ｘ線断面図である。
【図４】同装置に用いる基礎継手の平面図である。
【図５】同基礎継手の正面図である。
【図６】図４のＹ−Ｙ線断面図である。
【図７】（ａ）は同装置に用いる偏芯ブッシュの正面図、（ｂ）はその断面図である。
【図８】同装置に用いる止水キャップの断面図である。
【図９】同装置に用いる雨水分取器の断面図である。
【図１０】（ａ），（ｂ），（ｃ）はそれぞれ貯溜タンクの異なる連結態様を例示した平面図である。
【図１１】本発明の一実施形態に係る雨水貯溜装置付き家屋を示すもので、（ａ）は屋内を省略した一階の見取り図、（ｂ）は屋内を省略した二階の見取り図である。
【符号の説明】
【００６０】
Ｔ，Ｔ１，Ｔ２，Ｔ３  貯溜タンク
１    基礎継手
１ａ  上部接続口
１ｂ，１ｃ，１ｄ  側部接続口
１ｅ  底部接続口
１ｆ  雄ネジ
２    縦パイプ
３    蓋体
４    固定バンド（固定具）
５    竪樋（雨樋）
６    チーズ継手
６ａ  上向きの接続口
６ｂ  下向きの接続口
６ｃ  横向きの接続口（導水管接続口）
７    雨水分取器
８    導水管
９    偏芯ブッシング
１０  連通管
１１  蛇口（取水部材）
１２  水位計
１２ａ  透明管
１３  止水キャップ（閉塞部材）
１４  泥溜め管
１５  基台
１０１  外壁体
１０１ａ  凹部
１０２  バルコニー
【図１】
0005166851.tif 000002
【図２】
0005166851.tif 000003
【図３】
0005166851.tif 000004
【図４】
0005166851.tif 000005
【図５】
0005166851.tif 000006
【図６】
0005166851.tif 000007
【図７】
0005166851.tif 000008
【図８】
0005166851.tif 000009
【図９】
0005166851.tif 000010
【図１０】
0005166851.tif 000011
【図１１】
0005166851.tif 000012